(57)【要約】      （修正有）【課題】見出し語に関連する複数の画像を簡易な操作でまとめて表示する。【解決手段】表示端末１は、見出し語と、当該見出し語の画像と、当該見出し語について説明するとともに他の見出し語へのリンクを含む説明情報とを対応づけて記憶する辞書データベース２４２と、ユーザ操作により指定された見出し語を蓄積記憶する暗記カードデータベース２４３と、暗記カードデータベース２４３に記憶された見出し語の何れかを選択見出し語として選択する入力部２２と、選択見出し語の画像に対する関連画像として、辞書データベース２４２に記憶された画像のうち、当該選択見出し語の説明情報に含まれる各リンク先の見出し語の画像を取得するＣＰＵ２５と、選択見出し語の画像及び関連画像を一覧表示するとともに、表示された各画像に関連付けて、当該画像に対応する見出し語を表示する表示部２１とを備える。【選択図】図１
2013196232.tif 000002
【特許請求の範囲】
【請求項１】
見出し語と、当該見出し語の画像と、当該見出し語について説明するとともに他の見出し語へのリンクを含む説明情報とを対応づけて記憶する記憶手段と、
ユーザ操作により指定された見出し語を蓄積記憶するユーザ指定見出し語登録手段と、
ユーザ操作に基づいて、前記ユーザ指定見出し語登録手段により記憶された見出し語の何れかを選択見出し語として選択する登録見出し語選択手段と、
前記選択見出し語の画像に対する関連画像として、前記記憶手段により記憶された画像のうち、当該選択見出し語の説明情報に含まれる各リンク先の見出し語の画像を取得する関連画像取得手段と、
前記選択見出し語の画像と、当該選択見出し語の画像に対する前記関連画像とを一覧表示するとともに、表示された各画像に関連付けて、当該画像に対応する見出し語を表示するリンク先見出し語画像一覧表示手段と、
を備えることを特徴とする情報表示装置。
【請求項２】
請求項１記載の情報表示装置において、
前記記憶手段は、
各画像に対し、当該画像の分類情報を対応付けて記憶しており、
前記関連画像取得手段は、
前記選択見出し語の画像に対する前記関連画像として、当該選択見出し語の説明情報に含まれる各リンク先の見出し語の画像のうち、当該選択見出し語の画像と同じ分類情報に対応付けられた画像を取得することを特徴とする情報表示装置。
【請求項３】
請求項１または２記載の情報表示装置において、
前記関連画像取得手段は、
前記選択見出し語の画像に対する前記関連画像として、当該選択見出し語の文字列の少なくとも一部と一致する見出し語の画像を取得する関連見出し語画像取得手段を有することを特徴とする情報表示装置。
【請求項４】
請求項１〜３の何れか一項に記載の情報表示装置において、
ユーザ操作に基づいて、前記記憶手段に記憶された何れかの見出し語の説明情報を表示する説明情報表示手段を備え、
前記関連画像取得手段は、
前記選択見出し語の画像に対する前記関連画像として、当該選択見出し語の説明情報のうち、前記説明情報表示手段により表示された部分に含まれる各リンク先の見出し語の画像を取得することを特徴とする情報表示装置。
【請求項５】
請求項１〜４の何れか一項に記載の情報表示装置において、
前記選択見出し語の画像と、当該画像に対する前記関連画像とをランダムな並びで一覧表示するとともに、前記選択見出し語を表示するリンク先見出し語画像ランダム表示手段と、
ユーザ操作に基づいて、前記リンク先見出し語画像一覧表示手段と、前記リンク先見出し語ランダム表示手段との何れを機能させるかを切り替える画像表示モード切替手段と、
前記リンク先見出し語画像ランダム表示手段により画像が一覧表示された場合に、ユーザ操作に基づいて何れかの画像を前記選択見出し語の画像として選択する画像選択手段と、
前記画像選択手段により選択された画像が前記選択見出し語の画像であるか否かをユーザに報知する正誤報知手段と、
前記画像選択手段により選択された画像に対応する見出し語の説明情報を表示する選択画像説明情報表示手段と、
を備えることを特徴とする情報表示装置。
【請求項６】
請求項５記載の情報表示装置において、
前記画像選択手段により選択された画像が前記選択見出し語の画像ではない場合に、当該画像に対応する見出し語を前記ユーザ指定見出し語登録手段に記憶させる見出し語自動登録手段を備えることを特徴とする情報表示装置。
【請求項７】
請求項１〜６の何れか一項に記載の情報表示装置において、
前記記憶手段は、
画像及び説明情報に対応付けられた見出し語と、画像に対応付けられずに説明情報に対応付けられた見出し語とをそれぞれ記憶し、
前記ユーザ指定見出し語登録手段は、
前記記憶手段に記憶された見出し語のうち、当該記憶手段により画像に対応付けられた見出し語と、当該画像とを対応付けて蓄積記憶し、
前記関連画像取得手段は、
前記選択見出し語の画像に対する前記関連画像を取得するときに、当該選択見出し語の説明情報に含まれる各リンク先の見出し語に対して前記記憶手段により画像が対応付けられているか否かを判定し、見出し語に対して画像が対応付けられていると判定された場合に、当該見出し語の画像を取得することを特徴とする情報表示装置。
【請求項８】
見出し語と、当該見出し語の画像と、当該見出し語について説明するとともに他の見出し語へのリンクを含む説明情報とを対応づけて記憶する記憶手段を備えるコンピュータに、
ユーザ操作により指定された見出し語を蓄積記憶するユーザ指定見出し語登録機能と、
ユーザ操作に基づいて、前記ユーザ指定見出し語登録機能により記憶された見出し語の何れかを選択見出し語として選択する登録見出し語選択機能と、
前記選択見出し語の画像に対する関連画像として、前記記憶手段により記憶された画像のうち、当該選択見出し語の説明情報に含まれる各リンク先の見出し語の画像を取得する関連画像取得機能と、
前記選択見出し語の画像と、当該選択見出し語の画像に対する前記関連画像とを一覧表示するとともに、表示された各画像に関連付けて、当該画像に対応する見出し語を表示するリンク先見出し語画像一覧表示機能と、
を実現させることを特徴とする情報表示プログラム。
【発明の詳細な説明】
【技術分野】
【０００１】
本発明は、情報表示装置及び情報表示プログラムに関する。
【背景技術】
【０００２】
従来、タブレットパソコン等の情報表示装置には、見出し語と、その説明情報と、説明情報内で参照される画像等とを対応付けた辞書データベースが搭載されている。
【０００３】
このような情報表示装置では、任意の画像と見出し語とを対応付けて登録しておき、見出し語に対応付けられた画像を表示する技術や、或る辞書データベースの見出し語を表示させた状態から、当該見出し語に対して他の辞書データベースで対応付けられた画像を表示する技術が提案されている（例えば特許文献１，２参照）。
【先行技術文献】
【特許文献】
【０００４】
【特許文献１】特開２０１１−２２１７６１号公報
【特許文献２】特開２０１２−００８７３８号公報
【発明の概要】
【発明が解決しようとする課題】
【０００５】
しかしながら、従来の技術では、見出し語に対応する画像であっても、その見出し語の説明情報を一旦表示させないと、画像を表示させることができないため、画像を表示させるための操作に手間がかかってしまう。また、１つの見出し語に対し、関連する画像を複数対応付けることができないため、関連する画像をまとめて表示することができない。
【０００６】
本発明の課題は、見出し語に関連する複数の画像を簡易な操作でまとめて表示することのできる情報表示装置及び情報表示プログラムを提供することである。
【課題を解決するための手段】
【０００７】
以上の課題を解決するため、請求項１に記載の発明は、情報表示装置において、
見出し語と、当該見出し語の画像と、当該見出し語について説明するとともに他の見出し語へのリンクを含む説明情報とを対応づけて記憶する記憶手段と、
ユーザ操作により指定された見出し語を蓄積記憶するユーザ指定見出し語登録手段と、
ユーザ操作に基づいて、前記ユーザ指定見出し語登録手段により記憶された見出し語の何れかを選択見出し語として選択する登録見出し語選択手段と、
前記選択見出し語の画像に対する関連画像として、前記記憶手段により記憶された画像のうち、当該選択見出し語の説明情報に含まれる各リンク先の見出し語の画像を取得する関連画像取得手段と、
前記選択見出し語の画像と、当該選択見出し語の画像に対する前記関連画像とを一覧表示するとともに、表示された各画像に関連付けて、当該画像に対応する見出し語を表示するリンク先見出し語画像一覧表示手段と、
を備えることを特徴とする。
【発明の効果】
【０００８】
本発明によれば、見出し語に関連する複数の画像を簡易な操作でまとめて表示することができる。
【図面の簡単な説明】
【０００９】
【図１】表示端末の機能構成を示すブロック図である。
【図２】暗記カード作成処理の流れを示すフローチャートである。
【図３】暗記カード表示処理の流れを示すフローチャートである。
【図４】テスト処理の流れを示すフローチャートである。
【図５】表示部の表示内容を示す図である。
【図６】表示部の表示内容を示す図である。
【図７】表示部の表示内容を示す図である。
【図８】表示部の表示内容を示す図である。
【図９】表示部の表示内容を示す図である。
【図１０】表示部の表示内容を示す図である。
【図１１】表示部の表示内容を示す図である。
【図１２】表示部の表示内容を示す図である。
【発明を実施するための形態】
【００１０】
以下、添付図面を参照して本発明に係る実施の形態の一例を詳細に説明する。ただし、発明の範囲は、図示例に限定されない。
【００１１】
［構成］
図１は、本実施の形態における表示端末１の概略構成を示すブロック図である。
この図に示すように、本実施の形態における表示端末１は、表示部２１と、入力部２２と、記憶媒体読取部２３と、通信部２６と、記憶部２４と、ＣＰＵ２５等とを備えて構成されている。
【００１２】
表示部２１は、メインディスプレイ２１０及びサブディスプレイ２１１を備えており、ＣＰＵ２５から入力される表示信号に基づいて各種情報をメインディスプレイ２１０やサブディスプレイ２１１に表示するようになっている。なお、本実施の形態におけるメインディスプレイ２１０及びサブディスプレイ２１１は、いわゆるタッチパネル２２１と一体的に形成されており、ユーザによるタッチ操作を受け付け可能となっている。
【００１３】
入力部２２は、キー群２２０や上述のタッチパネル２２１を備えており、押下されたキーの種類やタッチパネル２２１の位置に対応する信号をＣＰＵ２５に出力するようになっている。なお、本実施の形態においては、キー群２２０は決定キー２２０ａを有している。この決定キー２２０ａは、処理の実行指示操作や、選択内容の確定操作などに使用されるようになっている。
【００１４】
記憶媒体読取部２３は、ＳＤカード等の外部記憶媒体２３ａから情報を読み出したり、当該外部記憶媒体２３ａに情報を記録したりするようになっている。
【００１５】
ここで、外部記憶媒体２３ａには、辞書データベース２４２等が格納されるようになっている。なお、この辞書データベース２４２は後述の記憶部２４における辞書データベース２４２と同様のデータ構造を有しているため、ここでは説明を省略する。
【００１６】
通信部２６は、ネットワークＮに接続可能となっており、これにより、ネットワークＮに接続される外部機器との通信が可能となっている。
【００１７】
記憶部２４は、表示端末１の各種機能を実現するためのプログラムやデータを記憶するとともに、ＣＰＵ２５の作業領域として機能するメモリである。本実施の形態においては、記憶部２４は、本発明に係る情報表示プログラム２４０と、辞書データベース群２４１と、暗記カードデータベース２４３、関連画像データベース２４５等とを記憶している。
【００１８】
情報表示プログラム２４０は、後述の暗記カード作成処理（図２参照），暗記カード表示処理（図３参照）及びテスト処理（図４参照）をＣＰＵ２５に実行させるためのプログラムである。
【００１９】
辞書データベース群２４１は、複数の辞書データベース２４２を有している。これら複数の辞書データベース２４２，…には、見出し語と、この見出し語の説明情報と、見出し語の画像とが対応付けられて複数格納されている。ここで、見出し語の説明情報には、当該見出し語の画像へのリンクや、他の見出し語へのリンクが含まれている。また、各画像は、当該画像の分類情報（タグ）と対応付けられて辞書データベース２４２に記憶されている。分類情報としては、例えば「建物」や「人物」、「植物」などが用いられている。本実施の形態においては、以上のような辞書データベース２４２として、百科事典の辞書データベースなどが用いられている。
【００２０】
暗記カードデータベース２４３は、暗記カードデータ２４４を複数記憶するようになっている。各暗記カードデータ２４４においては、暗記カードの登録番号と、カードの表面に関する情報と、カードの裏面に関する情報とが対応付けられている。カードの表面に関する情報としては、ユーザによる見出し語の手書き画像と、当該見出し語のテキストデータとが記憶されており、このうち見出し語の手書き画像が暗記カードの表面の内容として表示されるようになっている。また、カードの裏面に関する情報としては、表面の見出し語について辞書データベース２４２に記憶されている画像の画像番号か、或いはユーザにより手書き入力される手書き画像（例えば見出し語の対訳の手書き画像）が記憶されており、画像番号が記憶されている場合には、この画像番号の画像が暗記カードの裏面の内容として表示されるようになっている。
【００２１】
関連画像データベース２４５は、裏面の内容として画像番号が記憶された暗記カードごとに、当該画像についての関連画像を記憶するようになっている。具体的には、この関連画像データベース２４５は、対応する暗記カードデータ２４４の登録番号と、後述の暗記カード作成処理（図２参照）において関連画像として検出される各画像の識別情報とを対応付けて記憶している。ここで、画像の識別情報としては、当該画像の画像番号と、辞書データベース２４２内で当該画像に対応付けられた見出し語のテキストデータとが用いられている。
【００２２】
なお、以上の関連画像データベース２４５に記憶された関連画像は、後述の暗記カード表示処理（図３参照）において図鑑の画像として使用されるようになっている。より詳細には、暗記カード表示処理においては、何れかの暗記カードが選択されると、当該暗記カードの画像がその見出し語と関連付けられて表示されるとともに、当該暗記カードの関連画像がその見出し語と関連付けられて表示されるようになっており、これにより、見出し語と、この見出し語に関連する見出し語とを画像とともに表示させて学習することができる。
【００２３】
ＣＰＵ２５は、表示端末１の各部を中央制御する。具体的には、ＣＰＵ２５は、記憶部２４に記憶されているシステムプログラム及び各種アプリケーションプログラムの中から指定されたプログラムを展開し、展開されたプログラムとの協働で、各種処理を実行する。
【００２４】
以上の表示端末１は、ネットワークＮを介してサーバ１００等と接続されている。
このサーバ１００は、複数の辞書データベース２４２を記憶している。
【００２５】
［動作］
続いて、表示端末１の動作について、図２〜図４を参照しつつ説明する。
【００２６】
ここで図２は、表示端末１で行われる動作のうち、暗記カード作成処理の動作を説明するためのフローチャートである。また、図３は暗記カード表示処理の動作を説明するためのフローチャートであり、図４はテスト処理の動作を説明するためのフローチャートである。なお、これらの処理は、ユーザにより入力部２２を介して各処理の実行指示が入力されると、記憶部２４から情報表示プログラム２４０が読み出されて適宜展開される結果、当該情報表示プログラム２４０とＣＰＵ２５との協働によって実行される。
【００２７】
＜暗記カード作成処理＞
図２に示すように、暗記カード作成処理においては、まずＣＰＵ２５は、ユーザ操作に基づいて、何れかの辞書データベース２４２を指定辞書データベース２４２Ｓとして指定するとともに、当該指定辞書データベース２４２Ｓにおける何れかの見出し語を指定見出し語として指定し、指定辞書データベース２４２Ｓから指定見出し語の説明情報を読み出してメインディスプレイ２１０に表示させる（ステップＳ１）。
【００２８】
次に、ＣＰＵ２５は、暗記カードを作成する旨の操作が行われるか否かを判定し（ステップＳ２）、行われないと判定した場合（ステップＳ２；Ｎｏ）には他の処理へ移行する。
【００２９】
また、ステップＳ２において暗記カードを作成する旨の操作が行われたと判定した場合（ステップＳ２；Ｙｅｓ）には、ＣＰＵ２５は、暗記カードの表面の内容として、指定見出し語の手書き入力をユーザから受ける（ステップＳ３）。
【００３０】
次に、ＣＰＵ２５は、暗記カードの裏面の内容として画像を登録する旨の操作が行われるか否かを判定する（ステップＳ４）。
【００３１】
このステップＳ４において画像を登録する旨の操作が行われないと判定した場合（ステップＳ４；Ｎｏ）には、ＣＰＵ２５は、裏面の内容を手書きする旨の操作が行われるか否かを判定する（ステップＳ５）。
【００３２】
このステップＳ５において裏面の内容を手書きする旨の操作が行われないと判定した場合（ステップＳ５；Ｎｏ）には、ＣＰＵ２５は、他の処理へ移行する。
【００３３】
また、ステップＳ５において裏面の内容を手書きする旨の操作が行われたと判定した場合（ステップＳ５；Ｙｅｓ）には、ＣＰＵ２５は、ユーザ操作に応じて暗記カード（表裏面に手書き入力が行われたカード）の作成処理を行い（ステップＳ６）、暗記カード作成処理を終了する。なお、このようなステップＳ６の処理としては、従来より公知の処理を用いることができる。
【００３４】
また、上述のステップＳ４において暗記カードの裏面の内容として画像を登録する旨の操作が行われたと判定した場合（ステップＳ４；Ｙｅｓ）には、ＣＰＵ２５は、ユーザ操作に基づいて、指定見出し語の説明情報中のリンクから指定見出し語の画像（以下、指定見出し語画像とする）を選択し（ステップＳ７）、選択された指定見出し語画像をメインディスプレイ２１０に表示させる（ステップＳ８）。
【００３５】
次に、ＣＰＵ２５は、決定キー２２０ａが操作されるか否かを判定し（ステップＳ９）、操作されないと判定した場合（ステップＳ９；Ｎｏ）にはステップＳ７に移行する。
【００３６】
また、ステップＳ９において決定キー２２０ａが操作されたと判定した場合（ステップＳ９；Ｙｅｓ）には、ＣＰＵ２５は、表示されている指定見出し語画像を裏面の内容として確定するとともに、辞書データベース群２４１における指定辞書データベース２４２Ｓ以外の辞書データベース２４２から、指定見出し語と同一の見出し語を検索する（ステップＳ１１）。次に、ＣＰＵ２５は、指定見出し語と完全一致する見出し語が検出された辞書データベース２４２から当該見出し語の画像を取得し、関連画像として記憶部２４に一時記憶させる（ステップＳ１２）。なお、これらのステップＳ１１〜Ｓ１２においてＣＰＵ２５は、指定見出し語の少なくとも一部と一致する見出し語を検索し、見出し語が検出された辞書データベース２４２から当該見出し語の画像を取得することとしても良い。この場合には、後述のステップＳ１４〜Ｓ１６によって関連画像が取得されない場合（選択見出し語の説明情報に含まれるリンク先の見出し語に画像が対応付けられていない場合）であっても、見出し語の関連画像を取得することができる。なお、指定見出し語の一部と一致する見出し語を検索する場合には、ユーザ操作に基づいて指定見出し語内で検索文字列を指定することとしても良い。例えば指定見出し語が「アンドロメダ星雲（アンドロメダ‐せいうん）」の場合には、ユーザは「星雲」や「せいうん」、「アンドロメダ」等を検索文字列として指定する。
【００３７】
次に、ＣＰＵ２５は、指定辞書データベース２４２Ｓにおける指定見出し語の説明情報内に、他の見出し語へのリンク（アドレスジャンプリンク）があるか否かを判定し（ステップＳ１３）、リンクがないと判定した場合（ステップＳ１３；Ｎｏ）には、後述のステップＳ１８に移行する。より詳細には、このステップＳ１３においてＣＰＵ２５は、指定見出し語の説明情報のうち、上述のステップＳ１（または後述のステップＴ１０）で表示された部分に、他の見出し語へのリンクが含まれるか否かを判定するようになっている。
【００３８】
また、ステップＳ１３において指定辞書データベース２４２Ｓにおける指定見出し語の説明情報内に、他の見出し語へのリンクがあると判定した場合（ステップＳ１３；Ｙｅｓ）には、ＣＰＵ２５は、説明情報内で検出されたリンクのうち、当該ステップＳ１４の処理によって未だ検索されておらず、かつ最も先頭側に位置するリンクの参照先の見出し語を、指定辞書データベース２４２Ｓ内で検索する（ステップＳ１４）。
【００３９】
次に、ＣＰＵ２５は、検出された見出し語について指定辞書データベース２４２Ｓ内に画像が記憶されているか否かを判定し（ステップＳ１５）、記憶されていないと判定した場合（ステップＳ１５；Ｎｏ）には後述のステップＳ１７に移行する。より詳細には、このステップＳ１５においてＣＰＵ２５は、指定見出し語画像と同じ分類情報に対応付けられた画像が記憶されているか否かを判定するようになっている。
【００４０】
また、ステップＳ１５において検出された見出し語について指定辞書データベース２４２Ｓ内に画像が記憶されていると判定した場合（ステップＳ１５；Ｙｅｓ）には、ＣＰＵ２５は、当該画像を取得し、関連画像として記憶部２４に一時記憶させる（ステップＳ１６）。
【００４１】
次に、ＣＰＵ２５は、指定辞書データベース２４２Ｓにおける指定見出し語の説明情報内に、更に他の見出し語へのリンクがあるか否かを判定し（ステップＳ１７）、更に他の見出し語へのリンクがあると判定した場合（ステップＳ１７；Ｙｅｓ）には、上述のステップＳ１４に移行する。より詳細には、このステップＳ１７においてＣＰＵ２５は、指定見出し語の説明情報のうち、上述のステップＳ１（または後述のステップＴ１０）で表示された部分に、更に他の見出し語へのリンクが含まれるか否かを判定するようになっている。
【００４２】
また、ステップＳ１７において指定見出し語の説明情報内に、更に他の見出し語へのリンクがないと判定した場合（ステップＳ１７；Ｎｏ）には、ＣＰＵ２５は、暗記カードの内容（暗記カードの登録番号，指定見出し語の手書き画像，当該指定見出し語のテキストデータ，指定見出し語画像の画像番号）を暗記カードデータベース２４３に追加記憶させるとともに、各関連画像の識別情報（ステップＳ１２，Ｓ１６で取得された画像の画像番号，辞書データベース２４２内で当該画像に対応付けられた見出し語のテキストデータ）を、暗記カードの登録番号に対応付けて関連画像データベース２４５に記憶させ（ステップＳ１８）、暗記カード作成処理を終了する。
【００４３】
＜暗記カード表示処理＞
図３に示すように、暗記カード表示処理においては、まずＣＰＵ２５は、表示端末１に収録された学習機能として、暗記カード機能などをメインディスプレイ２１０に一覧表示させ、暗記カード機能が選択されるか否かを判定し（ステップＴ１）、選択されないと判定した場合（ステップＴ１；Ｎｏ）には他の処理へ移行する。
【００４４】
また、ステップＴ１において暗記カード機能が選択されたと判定した場合（ステップＴ１；Ｙｅｓ）には、ＣＰＵ２５は、暗記カード機能として、暗記カードの閲覧機能や、暗記カードを用いたテスト機能などをメインディスプレイ２１０に一覧表示させ、暗記カードの閲覧機能が選択されるか否かを判定する（ステップＴ２）。
【００４５】
このステップＴ２において暗記カードの閲覧機能が選択されないと判定した場合（ステップＴ２；Ｎｏ）には、ＣＰＵ２５は、暗記カードデータ２４４を用いたテスト機能が選択されるか否かを判定する（ステップＴ３）。
【００４６】
このステップＴ３において暗記カードデータ２４４を用いたテスト機能が選択されないと判定した場合（ステップＴ３；Ｎｏ）には、ＣＰＵ２５は、他の処理へ移行する。
【００４７】
また、ステップＴ３において暗記カードデータ２４４を用いたテスト機能が選択されたと判定した場合（ステップＴ３；Ｙｅｓ）には、ＣＰＵ２５は、後述のテスト処理（図４参照）へ移行する。
【００４８】
また、上述のステップＴ２において暗記カードの閲覧機能が選択されたと判定した場合（ステップＴ２；Ｙｅｓ）には、ＣＰＵ２５は、暗記カードデータベース２４３に記憶された各暗記カードデータ２４４から、暗記カードの表面の手書き画像を読み出してメインディスプレイ２１０に一覧表示させる（ステップＴ４）。また、このときＣＰＵ２５は、テスト処理（図４参照）への移行を指示するためのテストアイコンＩ１（図７（ｂ）参照）を、メインディスプレイ２１０の端部に表示させる。
【００４９】
次に、ＣＰＵ２５は、テストアイコンＩ１に対してタッチ操作が行われるか否かを判定し（ステップＴ５）、行われたと判定した場合（ステップＴ５；Ｙｅｓ）にはテスト処理（図４参照）へ移行する。
【００５０】
また、ステップＴ５においてテストアイコンＩ１に対してタッチ操作が行われないと判定した場合（ステップＴ５；Ｎｏ）には、ＣＰＵ２５は、メインディスプレイ２１０に一覧表示された暗記カードの何れかをユーザ操作に応じて選択し、選択された暗記カードの表面における見出し語の手書き画像（以下、選択手書き画像とする）をメインディスプレイ２１０に表示させる（ステップＴ６）。これにより、暗記カードデータベース２４３に登録された見出し語の何れかが選択されることとなる。
【００５１】
また、このステップＴ６においてＣＰＵ２５は、メインディスプレイ２１０の端部に図鑑アイコンＩ２（図７（ｃ）参照）を表示させる。なお、このステップＴ６においてユーザが選択手書き画像に対してタッチ操作を行ったときには、ＣＰＵ２５は、当該選択手書き画像を拡大表示させる一方、ユーザが決定キー２２０ａを操作した場合には、表示中の暗記カードの裏面を表示させる。
【００５２】
次に、ユーザが図鑑アイコンＩ２に対してタッチ操作を行うと（ステップＴ７）、ＣＰＵ２５は、関連画像データベース２４５に記憶された関連画像に基づいて、図鑑表示処理を行う（ステップＴ８）。具体的には、このステップＴ８においてＣＰＵ２５は、暗記カードデータベース２４３において選択手書き画像に対応付けられた画像番号（裏面の画像の画像番号）及び登録番号（暗記カードの登録番号）を読み出し、当該画像番号の画像と、当該登録番号に対して関連画像データベース２４５内で対応付けられた各画像番号の関連画像とを辞書データベース２４２から取得してメインディスプレイ２１０に一覧表示させる。また、このときＣＰＵ２５は、暗記カードデータベース２４３や関連画像データベース２４５において画像番号に対応付けられた見出し語のテキストデータを読み出し、各画像に関連付けて、当該画像に対応する見出し語を表示させる。これにより、選択された見出し語の画像と、当該画像に対する関連画像とが一覧表示されるとともに、表示された各画像に関連付けて、当該画像に対応する見出し語が表示される。
【００５３】
次に、ユーザが何れかの画像に対してタッチ操作を行うと（ステップＴ９）、ＣＰＵ２５は、当該画像の収録されている辞書データベース２４２から、当該画像に対応する見出し語の説明情報を読み出してメインディスプレイ２１０に表示させ（ステップＴ１０）、暗記カード表示処理を終了する。
【００５４】
＜テスト処理＞
図４に示すように、テスト処理においては、まずＣＰＵ２５は、暗記カードデータベース２４３に記憶された各暗記カードデータ２４４から、暗記カードの表面の手書き画像を読み出してメインディスプレイ２１０に一覧表示させる（ステップＵ１）。
【００５５】
次に、ＣＰＵ２５は、メインディスプレイ２１０に一覧表示された暗記カードの何れかをユーザ操作に応じて選択し（ステップＵ２）、選択された暗記カード（以下、選択暗記カードとする）の裏面の画像についての画像番号に基づいて、当該画像の収録されている辞書データベース２４２から当該画像の分類情報を読み出し、読み出した分類情報を検索キーとして、選択暗記カードの裏面の画像と同じ分類情報の画像を辞書データベース２４２から検索し、検出された画像から３つの画像をランダムに取得する（ステップＵ３）。なお、このように分類情報を検索キーとして画像を検索する場合には、分類情報と画像番号とを対応付けたテーブルを予め作成しておき、このステップＵ３で使用することが好ましい。なお、画像に対応する見出し語自体が画像の分類情報として用いられている場合には、このステップＵ４においてＣＰＵ２５は、見出し語とは異なる分類情報を用いて画像を検索するようになっている。また、このステップＵ３においてＣＰＵ２５は、選択暗記カードの登録番号に対応付けて関連画像データベース２４５に記憶された画像を３つ取得することとしても良い。また、画像の取得数は２つでも良いし、４つ以上でも良い。
【００５６】
次に、ＣＰＵ２５は、選択暗記カードの表面（見出し語の手書き画像）を表示させるとともに、当該選択暗記カードの裏面の画像と、ステップＴ３で取得した画像とを、回答の選択肢として一覧表示させる（ステップＵ４）。これにより、選択暗記カードの表面に合致する画像を問う内容のテストが表示されることとなる。
【００５７】
次に、ユーザが何れかの選択肢の画像に対してタッチ操作を行うと（ステップＵ５）、ＣＰＵ２５は、タッチされた画像が選択暗記カードの裏面の画像であるか否か、つまり選択暗記カードの見出し語についての画像であるか否かを判定する（ステップＵ６）。
【００５８】
次に、ＣＰＵ２５は、ステップＵ６での判定結果を正誤の何れかとして表示させるとともに、選択肢の各画像に関連付けて、当該画像に対応する見出し語を表示させる（ステップＵ７）。また、このときＣＰＵ２５は、サブディスプレイ２１１に図鑑作成アイコンＩ３と、次問題アイコンＩ４（図１０（ａ）参照）とを表示させる。
【００５９】
次に、ＣＰＵ２５は、何れかの選択肢の画像に対して更にタッチ操作が行われるか否かを判定する（ステップＵ１１）。
【００６０】
このステップＵ１１において何れかの選択肢の画像に対して更にタッチ操作が行われたと判定した場合（ステップＵ１１；Ｙｅｓ）には、ＣＰＵ２５は、当該画像の収録されている辞書データベース２４２から、当該画像に対応する見出し語の説明情報を読み出してメインディスプレイ２１０に表示させるとともに、当該見出し語を指定見出し語として設定した後（ステップＵ１２）、上述のステップＳ２に移行する。そして、暗記カードを作成する旨の操作が行われ（ステップＳ２；Ｙｅｓ）、暗記カードの裏面の内容として画像を登録する旨の操作が行われた後に（ステップＳ４；Ｙｅｓ）、ステップＳ１１以降の処理が行われることにより、暗記カードの内容（暗記カードの登録番号，指定見出し語の手書き画像，当該指定見出し語のテキストデータ，指定見出し語画像の画像番号）が暗記カードデータベース２４３に追加記憶されるとともに、指定見出し語画像についての各関連画像の識別情報が暗記カードの登録番号に対応付けられて関連画像データベース２４５に記憶される（ステップＳ１８）。
【００６１】
また、ステップＵ１１において何れかの選択肢の画像に対して更にタッチ操作が行われないと判定した場合（ステップＵ１１；Ｎｏ）には、ＣＰＵ２５は、図鑑作成アイコンＩ３に対してタッチ操作が行われるか否かを判定する（ステップＵ１３）。
【００６２】
このステップＵ１３において図鑑作成アイコンＩ３に対してタッチ操作が行われないと判定した場合（ステップＵ１３；Ｎｏ）には、ＣＰＵ２５は、次問題アイコンＩ４に対してタッチ操作が行われるか否かを判定する（ステップＵ１４）。
【００６３】
そして、ステップＵ１４において次問題アイコンＩ４に対してタッチ操作が行われないと判定した場合（ステップＵ１４；Ｎｏ）には、ＣＰＵ２５は、他の処理へ移行する。
【００６４】
一方、ステップＵ１４において次問題アイコンＩ４に対してタッチ操作が行われたと判定した場合（ステップＵ１４；Ｙｅｓ）には、ＣＰＵ２５は、ステップＵ１に移行する。
【００６５】
また、上述のステップＵ１３において図鑑作成アイコンＩ３に対してタッチ操作が行われたと判定した場合（ステップＵ１３；Ｙｅｓ）には、ＣＰＵ２５は、ユーザ操作に基づいて、何れかの選択肢の画像を選択する（ステップＵ２１）。
【００６６】
次に、ＣＰＵ２５は、選択された画像を指定見出し語画像として設定することにより、当該画像を暗記カードの裏面の内容として設定する（ステップＵ２２）。
【００６７】
次に、ＣＰＵ２５は、指定見出し語画像に対応する見出し語を指定見出し語として設定することにより、当該見出し語を暗記カードの表面の内容として設定し、この指定見出し語の手書き入力をユーザから受けた後（ステップＵ２３）、上述のステップＳ１１に移行する。そして、ステップＳ１１以降の処理が行われることにより、暗記カードの内容（暗記カードの登録番号，指定見出し語の手書き画像，当該指定見出し語のテキストデータ，指定見出し語画像の画像番号）が暗記カードデータベース２４３に追加記憶されるとともに、指定見出し語画像についての各関連画像の識別情報が暗記カードの登録番号に対応付けられて関連画像データベース２４５に記憶される（ステップＳ１８）。
【００６８】
［動作例］
続いて、図面を参照しつつ、上述した表示端末１の動作を具体的に説明する。なお、以下の動作例で参照する図中、説明情報内で太字によって表示された文字列は、当該文字列の位置に、当該文字列を参照先の見出し語とするリンクが埋設されていることを示している。また、以下の動作例では、説明情報内の「解説」の部分（図５（ａ）等参照）には、見出し語の画像へのリンクが埋設されていることとして説明する。
【００６９】
まず、ユーザが「百科事典」の辞書データベース２４２を指定辞書データベース２４２Ｓとして指定するとともに、当該指定辞書データベース２４２Ｓにおける見出し語「伊藤博文」を指定見出し語として指定すると、図５（ａ）に示すように、指定辞書データベース２４２Ｓから指定見出し語「伊藤博文」の説明情報が読み出されてメインディスプレイ２１０に表示される（ステップＳ１）。また、このときサブディスプレイ２１１には、暗記カードの作成を指示するための暗記カード作成アイコンＩ５が表示される。
【００７０】
次に、ユーザが暗記カード作成アイコンＩ５に対してタッチ操作を行うことにより、暗記カードを作成する旨の操作を行うと（ステップＳ２；Ｙｅｓ）、図５（ｂ）に示すように、暗記カードの作成ウィンドウＷがメインディスプレイ２１０に形成される。ここで、この暗記カードの作成ウィンドウＷには、表面の内容を入力するための表面入力エリアＥ１と、裏面の内容を入力するための裏面入力エリアＥ２とが含まれている。また、このときサブディスプレイ２１１には、裏面の内容として文字入力と、画像との何れを入力するかを選択するための文字画像選択アイコンＩ６が表示される。
【００７１】
次に、ユーザが表面入力エリアＥ１に対して暗記カードの表面の内容として、指定見出し語「伊藤博文」の手書き入力を行うとともに（ステップＳ３）、暗記カードの裏面の内容として画像を登録する旨の操作を文字画像選択アイコンＩ６によって行うと（ステップＳ４；Ｙｅｓ）、図５（ｃ）に示すように、指定見出し語「伊藤博文」の説明情報がメインディスプレイ２１０に改めて表示され、裏面の内容として登録する図面を選択するよう指示するメッセージが表示される（図中の下端部を参照）。
【００７２】
次に、ユーザが指定見出し語「伊藤博文」の説明情報中の「解説」のリンクから指定見出し語画像を選択すると（ステップＳ７）、図６（ａ）に示すように、選択された指定見出し語画像（ここでは伊藤博文の画像）がメインディスプレイ２１０に表示される（ステップＳ８）。なお、この指定見出し語画像には、「人物」の分類情報が対応付けられている。
【００７３】
次に、ユーザが決定キー２２０ａを操作すると（ステップＳ９；Ｙｅｓ）、表示されている指定見出し語画像が裏面の内容として確定された後、辞書データベース群２４１における指定辞書データベース２４２Ｓ（百科事典）以外の辞書データベース２４２から、指定見出し語「伊藤博文」と同一の見出し語が検索され（ステップＳ１１）、指定見出し語「伊藤博文」と完全一致する見出し語が検出された辞書データベース２４２から当該見出し語「伊藤博文」の画像が取得され、関連画像として一時記憶される（ステップＳ１２）。なお、ここで取得される「伊藤博文」の画像は、後述の図１０（ｃ）における右から２つ目の部分に示すように、指定見出し語画像（図６（ａ）参照）とは異なる画像である。
【００７４】
次に、図６（ｂ）に示すように、指定辞書データベース２４２Ｓにおける指定見出し語「伊藤博文」の説明情報のうち、既に表示された部分に、他の見出し語「木戸孝允」，「大久保利通」，…へのリンクが含まれると判定され（ステップＳ１３；Ｙｅｓ）、検出されたリンクのうち、未だ検索されておらず、かつ最も先頭側に位置するリンクの参照先の見出し語「木戸孝允」が指定辞書データベース２４２Ｓ（百科事典）内で検索される（ステップＳ１４）。
【００７５】
次に、検出された見出し語「木戸孝允」について、指定見出し語画像（伊藤博文の画像）と同じ分類情報「人物」に対応付けられた画像が指定辞書データベース２４２Ｓ内に記憶されていると判定され（ステップＳ１５；Ｙｅｓ）、当該画像（木戸孝允の画像）が取得され、関連画像として一時記憶される（ステップＳ１６）。
【００７６】
次に、指定辞書データベース２４２Ｓ（百科事典）における指定見出し語「伊藤博文」の説明情報のうち、既に表示された部分に、更に他の見出し語「大久保利通」，「西郷隆盛」，…へのリンクがあると判定され（ステップＳ１７；Ｙｅｓ）、検出されたリンクのうち、未だ検索されておらず、かつ最も先頭側に位置するリンクの参照先の見出し語「大久保利通」が指定辞書データベース２４２Ｓ（百科事典）内で検索される（ステップＳ１４）。
【００７７】
以降、同様にして「大久保利通」，「西郷隆盛」，…の画像が関連画像として一時記憶される（ステップＳ１６）。
【００７８】
そして、指定見出し語「伊藤博文」の説明情報のうち、既に表示された部分に、更に他の見出し語へのリンクがないと判定され（ステップＳ１７；Ｎｏ）、暗記カードの内容（暗記カードの登録番号，指定見出し語「伊藤博文」の手書き画像，当該指定見出し語「伊藤博文」のテキストデータ，指定見出し語画像の画像番号）が暗記カードデータベース２４３に追加記憶されるとともに、各関連画像の識別情報（「伊藤博文」，「木戸孝允」，…の画像の画像番号，辞書データベース２４２内で当該画像に対応付けられた見出し語「伊藤博文」，「木戸孝允」，…のテキストデータ）が暗記カードの登録番号に対応付けられて関連画像データベース２４５に記憶される（ステップＳ１８）。
【００７９】
次に、ユーザが暗記カード表示処理を実行させ、学習機能として暗記カード機能を選択すると（ステップＴ１；Ｙｅｓ）、図７（ａ）に示すように、暗記カード機能として、暗記カードの閲覧機能や、暗記カードを用いたテスト機能などがメインディスプレイ２１０に一覧表示される。
【００８０】
次に、ユーザが暗記カードの閲覧機能を選択すると（ステップＴ２；Ｙｅｓ）、図７（ｂ）に示すように、暗記カードデータベース２４３に記憶された各暗記カードデータ２４４から、暗記カードの表面の手書き画像が読み出されてメインディスプレイ２１０に一覧表示される（ステップＴ４）。また、このときテストアイコンＩ１がメインディスプレイ２１０の端部に表示される。
【００８１】
次に、メインディスプレイ２１０に表示された「伊藤博文」の暗記カードをユーザが選択すると、図７（ｃ）に示すように、暗記カードの表面における見出し語「伊藤博文」の手書き画像が選択手書き画像としてメインディスプレイ２１０に表示される（ステップＴ６）。また、このときメインディスプレイ２１０の端部に図鑑アイコンＩ２が表示される。
【００８２】
次に、ユーザが決定キー２２０ａを操作すると、図８（ａ）に示すように、暗記カードの裏面の画像（「伊藤博文」の画像）が表示される。次に、この画像に対してユーザがタッチ操作を行うと、図８（ｂ）に示すように、当該画像が拡大表示される。なお、このときユーザが表示を戻す旨の操作を行うと、図７（ａ）に示した表示内容が改めて表示される。
【００８３】
また、図８（ａ）に示した状態から、ユーザが図鑑アイコンＩ２に対してタッチ操作を行うと（ステップＴ７）、図８（ｃ）に示すように、暗記カードデータベース２４３において選択手書き画像（「伊藤博文」の手書き画像）に対応付けられた画像番号（裏面の画像の画像番号）及び登録番号（暗記カードの登録番号）が読み出され、当該画像番号の画像（「伊藤博文」の画像）と、当該登録番号に対して関連画像データベース２４５内で対応付けられた各画像番号の関連画像（「伊藤博文」，「木戸孝允」，…の画像）とがメインディスプレイ２１０に一覧表示される（ステップＴ８）。また、このとき暗記カードデータベース２４３や関連画像データベース２４５において画像番号に対応付けられた見出し語「伊藤博文」，「木戸孝允」，…のテキストデータが読み出され、各画像に関連付けて、当該画像に対応する見出し語が表示される。なお、この図８（ｃ）では、関連画像としての「伊藤博文」の画像が表示されていないが、表示されることとしても良い。
【００８４】
次に、ユーザが「伊藤博文」の画像に対してタッチ操作を行うと（ステップＴ９）、上述の図５（ａ）に示すように、当該画像の収録されている辞書データベース２４２から当該画像に対応する見出し語「伊藤博文」の説明情報が読み出されてメインディスプレイ２１０に表示される（ステップＴ１０）。
【００８５】
また、上述の図７（ａ）に示した状態から、図９（ａ）に示すように、暗記カードデータ２４４を用いたテスト機能をユーザが選択すると（ステップＴ３；Ｙｅｓ）、図９（ｂ）に示すように、暗記カードデータベース２４３に記憶された各暗記カードデータ２４４から、暗記カードの表面の手書き画像が読み出されてメインディスプレイ２１０に一覧表示される（ステップＵ１）。
【００８６】
次に、メインディスプレイ２１０に一覧表示された「伊藤博文」の暗記カードを選択暗記カードとしてユーザが選択すると（ステップＵ２）、選択暗記カードの裏面の画像についての画像番号に基づいて、当該画像の収録されている辞書データベース２４２（百科事典）から当該画像の分類情報「人物」が読み出され、読み出された分類情報「人物」を検索キーとして、分類情報「人物」の画像が辞書データベース２４２から検索され、検出された画像から３つの画像がランダムに取得される（ステップＵ３）。そして、図９（ｃ）に示すように、選択暗記カードの表面（見出し語「伊藤博文」の手書き画像）が表示されるとともに、当該選択暗記カードの裏面の画像と、取得した３つの画像とが回答の選択肢として一覧表示される（ステップＵ４）。
【００８７】
次に、図１０（ａ）に示すように、ユーザが「伊藤博文」の画像に対してタッチ操作を行うと（ステップＵ５）、タッチされた画像が選択暗記カードの裏面の画像であると判定され（ステップＵ６）、正解の旨（図中の「○」を参照）が表示されるとともに、選択肢の各画像に関連付けて、当該画像に対応する見出し語が表示される（ステップＵ７）。また、このときサブディスプレイ２１１に図鑑作成アイコンＩ３と、次問題アイコンＩ４とが表示される。
【００８８】
また、図９（ｃ）に示した状態から、図１０（ｂ）に示すように、ユーザが「伊藤博文」以外の画像（ここでは「原敬」の画像）に対してタッチ操作を行うと（ステップＵ５）、タッチされた画像が選択暗記カードの裏面の画像でないと判定され（ステップＵ６）、不正解の旨（図中の「×」を参照）が表示されるとともに、選択肢の各画像に関連付けて、当該画像に対応する見出し語が表示される（ステップＵ７）。
【００８９】
なお、図９（ｂ）に示した状態から、選択暗記カードの裏面の画像の分類情報「人物」を検索キーとして画像が検索されて取得される代わりに、選択暗記カードの登録番号に対応付けて関連画像データベース２４５に記憶された画像が取得される場合には（ステップＵ３）、図１０（ｃ）に示すように、選択暗記カードの表面（見出し語「伊藤博文」の手書き画像）が表示されるとともに、当該選択暗記カードの裏面の画像と、取得された画像とが回答の選択肢として一覧表示されることとなる（ステップＵ４）。
【００９０】
また、上述の図１０（ｂ）に示した状態から、ユーザが「原敬」の画像に対して更にタッチ操作を行うと（ステップＵ１１；Ｙｅｓ）、図１１（ａ）に示すように、当該画像の収録されている辞書データベース２４２から、当該画像に対応する見出し語「原敬」の説明情報が読み出されてメインディスプレイ２１０に表示される（ステップＵ１２）。
【００９１】
また、上述の図１０（ｂ）に示した状態から、図１１（ｂ）に示すように、ユーザが図鑑作成アイコンＩ３に対してタッチ操作を行うと（ステップＵ１３；Ｙｅｓ）、図１１（ｃ）に示すように、関連画像を取得して図鑑を作成したい画像に対してタッチ操作を行うよう指示するメッセージがメインディスプレイ２１０に表示される。
【００９２】
次に、図１２（ａ）に示すように、ユーザが「原敬」の画像をタッチ操作によって選択すると（ステップＵ２１）、図１２（ｂ）に示すように、暗記カードの作成ウィンドウＷがメインディスプレイ２１０に形成されるとともに、選択された画像が指定見出し語画像として設定され、暗記カードの裏面の内容として設定される（ステップＵ２２。図中の裏面入力エリアＥ２を参照）。
【００９３】
次に、指定見出し語画像に対応する見出し語「原敬」が指定見出し語として設定されて、当該見出し語「原敬」が暗記カードの表面の内容として設定される。そして、この指定見出し語「原敬」の手書き入力をユーザが入力すると（ステップＵ２３。図中のサブディスプレイ２１１を参照）、暗記カードの内容（暗記カードの登録番号，指定見出し語「原敬」の手書き画像，当該指定見出し語「原敬」のテキストデータ，指定見出し語画像の画像番号）が暗記カードデータベース２４３に追加記憶されるとともに、指定見出し語画像（「原敬」の画像）についての各関連画像の識別情報が暗記カードの登録番号に対応付けられて関連画像データベース２４５に記憶される（ステップＳ１８）。これら暗記カードの内容や関連画像の識別情報などが記憶された後には、図１１（ｂ）に示した状態が改めて表示されることとしても良い。
【００９４】
以上、本実施の形態によれば、図２のステップＳ１６や図３のステップＴ８、図８（ｃ）等に示したように、選択見出し語の画像に対する関連画像として、辞書データベース２４２に記憶された画像のうち、当該選択見出し語の説明情報に含まれる各リンク先の見出し語の画像が取得され、選択見出し語の画像と、当該選択見出し語の画像に対する関連画像とが一覧表示されるとともに、表示された各画像に関連付けて、当該画像に対応する見出し語が表示されるので、選択見出し語を選択することで、当該選択見出し語に関連する見出し語の画像をまとめて表示させることができる。従って、見出し語に関連する複数の画像を簡易な操作でまとめて表示することができる。
【００９５】
また、図２のステップＳ１６等に示したように、選択見出し語の画像に対する関連画像として、当該選択見出し語の説明情報に含まれる各リンク先の見出し語の画像のうち、当該選択見出し語の画像と同じ分類情報に対応付けられた画像が取得されるので、選択見出し語の画像に対して関連度合いの低い画像が関連画像として表示されてしまうのを防止することができる。
【００９６】
また、図２のステップＳ１３〜Ｓ１７や、図８（ｃ）等に示したように、選択見出し語の画像に対する関連画像として、当該選択見出し語の説明情報のうち、既に表示された部分に含まれる各リンク先の見出し語の画像が取得されるので、学習済みの範囲内から関連画像が取得されて表示される。従って、一覧表示される関連画像についての理解度を高めることができる。
【００９７】
また、図４のステップＵ３〜Ｕ１２や図９（ａ）〜図１１（ａ）等に示したように、テスト処理の実行が指示されると、選択見出し語の画像と、当該画像に対する関連画像とがランダムな並びで一覧表示されるとともに、選択見出し語が表示され、この状態からユーザ操作に基づいて何れかの画像が選択見出し語の画像として選択されると、選択された画像が選択見出し語の画像であるか否かが報知され、選択された画像に対応する見出し語の説明情報が表示されるので、選択見出し語の画像や、その関連画像についての理解度を高めることができる。
【００９８】
また、図２のステップＳ１５〜Ｓ１６等に示したように、選択見出し語の画像に対する関連画像を取得するときに、当該選択見出し語の説明情報に含まれる各リンク先の見出し語に対して辞書データベース２４２により画像が対応付けられているか否かが判定され、見出し語に対して画像が対応付けられていると判定された場合に、当該見出し語の画像が関連画像として取得されるので、画像に対応付けられていない見出し語が辞書データベース２４２に収録されている場合であっても、選択見出し語の画像に対する関連画像を確実に取得することができる。
【００９９】
なお、上記の実施の形態における表示端末１の各構成要素の細部構成及び細部動作に関しては、本発明の趣旨を逸脱しない範囲で適宜変更可能であることは勿論である。
【０１００】
例えば、本発明に係る情報表示装置を表示端末１として説明したが、本発明が適用可能なものは、このような製品に限定されず、電子辞書、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム２４０は、表示端末１に対して着脱可能なメモリカード、ＣＤ等に記憶されることとしてもよい。
【０１０１】
また、表示部２１はメインディスプレイ２１０及びサブディスプレイ２１１を有することとして説明したが、１つのディスプレイのみを有し、このディスプレイ内に２つのウィンドウを形成することしても良い。
【０１０２】
また、見出し語と、見出し語の手書き画像と、見出し語の画像の画像番号とを対応付けて記憶する暗記カードデータベース２４３が表示端末１に具備されることとして説明したが、見出し語を蓄積記憶するデータベースが暗記カードデータベース２４３の代わりに具備されることとしても良い。
同様に、関連画像の画像番号と、当該関連画像に対応する見出し語とを対応付けて記憶する関連画像データベース２４５が表示端末１に具備されることとして説明したが、関連画像に対応する見出し語のみを記憶するデータベースが関連画像データベース２４５の代わりに具備されることとしても良い。
【０１０３】
また、テスト処理においてユーザが選択肢の画像に対してタッチ操作を行った後（ステップＵ５）、改めて選択肢の画像に対してタッチ操作を行った場合（ステップＵ１１；Ｙｅｓ）や、図鑑作成アイコンＩ３に対してタッチ操作を行った場合（ステップＵ１３；Ｙｅｓ）に、当該選択肢の画像と、この画像に対応する見出し語とが対応付けられて暗記カードデータベース２４３に記憶されることとして説明したが、ユーザが選択肢の画像のうち、誤った画像（選択暗記カードの裏面画像とは異なる画像）に対してタッチ操作を行った場合に、当該選択肢の画像と、この画像に対応する見出し語とが対応付けられて暗記カードデータベース２４３に記憶されることとしても良い。この場合には、理解度の低い画像について暗記カード作成処理やテスト処理などによって復習を行うことができる。
【０１０４】
また、暗記カードデータベース２４３内で選択された見出し語の画像と、その関連画像とを一覧表示させるにあたり、予めステップＳ１１〜Ｓ１８の処理によって関連画像を取得してその画像番号を関連画像データベース２４５に記憶させておき、この画像番号の関連画像を辞書データベース２４２から取得して表示させることとして説明したが、関連画像データベース２４５に関連画像の画像自体を記憶させておき、記憶された関連画像を関連画像データベース２４５から取得して表示させることとしても良いし、関連画像を表示させる度にステップＳ１１〜Ｓ１７の処理を行って関連画像を辞書データベース２４２から取得して表示させることとしても良い。
【０１０５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
見出し語と、当該見出し語の画像と、当該見出し語について説明するとともに他の見出し語へのリンクを含む説明情報とを対応づけて記憶する記憶手段と、
ユーザ操作により指定された見出し語を蓄積記憶するユーザ指定見出し語登録手段と、
ユーザ操作に基づいて、前記ユーザ指定見出し語登録手段により記憶された見出し語の何れかを選択見出し語として選択する登録見出し語選択手段と、
前記選択見出し語の画像に対する関連画像として、前記記憶手段により記憶された画像のうち、当該選択見出し語の説明情報に含まれる各リンク先の見出し語の画像を取得する関連画像取得手段と、
前記選択見出し語の画像と、当該選択見出し語の画像に対する前記関連画像とを一覧表示するとともに、表示された各画像に関連付けて、当該画像に対応する見出し語を表示するリンク先見出し語画像一覧表示手段と、
を備えることを特徴とする情報表示装置。
＜請求項２＞
請求項１記載の情報表示装置において、
前記記憶手段は、
各画像に対し、当該画像の分類情報を対応付けて記憶しており、
前記関連画像取得手段は、
前記選択見出し語の画像に対する前記関連画像として、当該選択見出し語の説明情報に含まれる各リンク先の見出し語の画像のうち、当該選択見出し語の画像と同じ分類情報に対応付けられた画像を取得することを特徴とする情報表示装置。
＜請求項３＞
請求項１または２記載の情報表示装置において、
前記関連画像取得手段は、
前記選択見出し語の画像に対する前記関連画像として、当該選択見出し語の文字列の少なくとも一部と一致する見出し語の画像を取得する関連見出し語画像取得手段を有することを特徴とする情報表示装置。
＜請求項４＞
請求項１〜３の何れか一項に記載の情報表示装置において、
ユーザ操作に基づいて、前記記憶手段に記憶された何れかの見出し語の説明情報を表示する説明情報表示手段を備え、
前記関連画像取得手段は、
前記選択見出し語の画像に対する前記関連画像として、当該選択見出し語の説明情報のうち、前記説明情報表示手段により表示された部分に含まれる各リンク先の見出し語の画像を取得することを特徴とする情報表示装置。
＜請求項５＞
請求項１〜４の何れか一項に記載の情報表示装置において、
前記選択見出し語の画像と、当該画像に対する前記関連画像とをランダムな並びで一覧表示するとともに、前記選択見出し語を表示するリンク先見出し語画像ランダム表示手段と、
ユーザ操作に基づいて、前記リンク先見出し語画像一覧表示手段と、前記リンク先見出し語ランダム表示手段との何れを機能させるかを切り替える画像表示モード切替手段と、
前記リンク先見出し語画像ランダム表示手段により画像が一覧表示された場合に、ユーザ操作に基づいて何れかの画像を前記選択見出し語の画像として選択する画像選択手段と、
前記画像選択手段により選択された画像が前記選択見出し語の画像であるか否かをユーザに報知する正誤報知手段と、
前記画像選択手段により選択された画像に対応する見出し語の説明情報を表示する選択画像説明情報表示手段と、
を備えることを特徴とする情報表示装置。
＜請求項６＞
請求項５記載の情報表示装置において、
前記画像選択手段により選択された画像が前記選択見出し語の画像ではない場合に、当該画像に対応する見出し語を前記ユーザ指定見出し語登録手段に記憶させる見出し語自動登録手段を備えることを特徴とする情報表示装置。
＜請求項７＞
請求項１〜６の何れか一項に記載の情報表示装置において、
前記記憶手段は、
画像及び説明情報に対応付けられた見出し語と、画像に対応付けられずに説明情報に対応付けられた見出し語とをそれぞれ記憶し、
前記ユーザ指定見出し語登録手段は、
前記記憶手段に記憶された見出し語のうち、当該記憶手段により画像に対応付けられた見出し語と、当該画像とを対応付けて蓄積記憶し、
前記関連画像取得手段は、
前記選択見出し語の画像に対する前記関連画像を取得するときに、当該選択見出し語の説明情報に含まれる各リンク先の見出し語に対して前記記憶手段により画像が対応付けられているか否かを判定し、見出し語に対して画像が対応付けられていると判定された場合に、当該見出し語の画像を取得することを特徴とする情報表示装置。
＜請求項８＞
見出し語と、当該見出し語の画像と、当該見出し語について説明するとともに他の見出し語へのリンクを含む説明情報とを対応づけて記憶する記憶手段を備えるコンピュータに、
ユーザ操作により指定された見出し語を蓄積記憶するユーザ指定見出し語登録機能と、
ユーザ操作に基づいて、前記ユーザ指定見出し語登録機能により記憶された見出し語の何れかを選択見出し語として選択する登録見出し語選択機能と、
前記選択見出し語の画像に対する関連画像として、前記記憶手段により記憶された画像のうち、当該選択見出し語の説明情報に含まれる各リンク先の見出し語の画像を取得する関連画像取得機能と、
前記選択見出し語の画像と、当該選択見出し語の画像に対する前記関連画像とを一覧表示するとともに、表示された各画像に関連付けて、当該画像に対応する見出し語を表示するリンク先見出し語画像一覧表示機能と、
を実現させることを特徴とする情報表示プログラム。
【符号の説明】
【０１０６】
１                表示端末
２５              ＣＰＵ
２１０            ディスプレイ
２４０            情報表示プログラム
【図１】
2013196232.tif 000003
【図２】
2013196232.tif 000004
【図３】
2013196232.tif 000005
【図４】
2013196232.tif 000006
【図５】
2013196232.tif 000007
【図６】
2013196232.tif 000008
【図７】
2013196232.tif 000009
【図８】
2013196232.tif 000010
【図９】
2013196232.tif 000011
【図１０】
2013196232.tif 000012
【図１１】
2013196232.tif 000013
【図１２】
2013196232.tif 000014